(57)【要約】【課題】  画像読取装置の原稿押えの圧板の開閉機構において、圧板を閉じる時に圧板の自由落下による衝突等をさせるために、圧板のヒンジ足を開放方向にバネで付勢した圧板がある。この圧板を取り外す時に、ヒンジ足がバネ圧で跳ね上がることがあり、危険であった。【解決手段】  ヒンジ足先端部に、ヒンジ脚部よりも付勢方向に大きくした突起を設け、ヒンジ足取付け穴部の出口はヒンジ足先端部の突起が通過できるサイズで、かつ、ヒンジ足端部の突起が当接する突起を有することで、バネの付勢が無くなる位置で取り外す構成とする。【選択図】  図４
2005338479.tif 000002
【特許請求の範囲】
【請求項１】
開閉支点部となる枢軸が被取付け部に対してスライド自在なヒンジ足と、前記ヒンジ足を前記被取付け部に対して、装置背面方向に付勢する弾性部材を持つヒンジユニットであって、
ヒンジ足を挿入する被取付け部内壁の最小サイズがヒンジ足先端の最大サイズよりも大きく、前記被取付け部内壁開口部近傍に開口部内側に突出する突起を備え、前記ヒンジ足端部にはヒンジ足が上方へスライドしたときに前記開口部内側の突起に当接する突起をもつことを特徴とするヒンジユニット。
【請求項２】
読取り原稿を載置するガラス板と、読取光学系を備える読取ユニットと、該読取ユニットを副走査方向に移動させる機構とを備える装置フレームと、前記ガラス板に置かれた原稿を押える原稿圧板と、ヒンジの回動中心を原稿圧板に回動可能に係合し、前記ヒンジのヒンジ足を被取付け部に対してスライド自在とし、ヒンジ足を前記被取付け部に対して、装置背面方向に付勢する弾性部材を持つヒンジユニットを持つ画像読取装置において、
ヒンジ足を挿入する被取付け部内壁の最小サイズがヒンジ足先端の最大サイズよりも大きく、前記被取付け部内壁開口部近傍に開口部内側に突出する突起を備え、前記ヒンジ足端部にはヒンジ足が上方へスライドしたときに前記開口部内側の突起に当接する突起をもつことを特徴とする画像読取装置。
【発明の詳細な説明】
【技術分野】
【０００１】
本発明は、文書や写真などの原稿を読取ってデジタルデータに変換して出力する、コンピュータ入力用の画像読取装置に関し、特に、これらの装置に備えられる原稿カバーのヒンジ部に関するものである。
【背景技術】
【０００２】
従来、コンピュータ等の情報処理装置と共に使用される画像読取装置として、机上用のフラットベッドタイプのスキャナがある。近年、コンピュータの高速化や記憶媒体の大容量化及びスキャナの高解像度化にともない、反射原稿だけでなく写真フィルムのような透過原稿を読取るためのフィルムアダプタユニット（ＦＡＵ）を搭載した圧板を持つスキャナが望まれるようになってきている。このＦＡＵは透過原稿全体を均一に照明するためのユニットである（例えば、特許文献１参照）。ＦＡＵは白色光源とそれを調光するためのインバータ回路とその光源からの入射光を透過原稿へほぼ均一に照明するための導光板から構成され、さらに透過原稿上のゴミ・キズ情報を検出するための赤外光源を備えている。また、このＦＡＵは写真フィルムの連続読取り枚数の増加や大判フィルムを読取りたいというユーザーの要求に応えるため大型化しそれに伴いその重量も重くなってきている。
【０００３】
このような画像読取装置では、図６に示す様に、本１１２などのような厚手の反射原稿も圧板１０２でしっかりと押圧できるように圧板１０２のヒンジ部１０５の足１０６が画像読取装置のヒンジ取付け部１１５に対して上下方向にスライド自在となっている。同時に原稿積載時にＦＡＵを搭載した圧板が自由落下によりスキャナ本体上面に衝突・破損しないように圧板のヒンジ部にフリクションプレートを用いたフリーストップ機構を設けているものがある。しかしながらこの構成はコストが高いため、ネジリコイルバネ１０８等の弾性部材を用いて圧板１０２を開こうとする力を与え、圧板自重による自由落下の衝撃を緩和させる安価なタイプのヒンジもある。また、原稿自動送り装置のヒンジとしての特許がある（特許文献２参照）。
【特許文献１】特開２００１−２９８５９３号公報
【特許文献２】特許第３２６２４５７号公報
【発明の開示】
【発明が解決しようとする課題】
【０００４】
しかしながら、上記のような図６に示すような従来技術の場合には、下記のような問題が生じていた。
【０００５】
写真フィルムの連続読取り枚数の増加や大判フィルムに対応するためＦＡＵが大型化し重量が増加するために、衝撃緩和のためのヒンジ部１０５のバネ圧がたいへん大きくなっている。そのため原稿圧板１０２を閉じた際、バネ１０８によりヒンジは矢印方向に開こうとする力がかかっているので、図６（３）のように、ヒンジ部の足１０６がスライドするストロークよりも厚い原稿１１３を押圧した場合、ヒンジ部の足１０６が画像読取装置のヒンジ取付け部１１５から抜け出し、バネ圧により勢いよく跳ね上がり危険である。また、ヒンジ足の跳ね上げ防止のためヒンジ足を抜き差しできない構成のものがあるが、この場合、圧板の抜き差しができないため、圧板の投影面積を越える原稿を読取ることはできない。
【課題を解決するための手段】
【０００６】
上記の課題を解決するために、請求項１に示す発明は、開閉支点部となる枢軸が被取付け部に対してスライド自在なヒンジ足と、前記ヒンジ足を前記被取付け部に対して、装置背面方向に付勢する弾性部材を持つヒンジユニットであって、ヒンジ足を挿入する被取付け部内壁の最小サイズがヒンジ足先端の最大サイズよりも大きく、前記被取付け部内壁開口部近傍に開口部内側に突出する突起を備え、前記ヒンジ足端部にはヒンジ足が上方へスライドしたときに前記開口部内側の突起に当接する突起をもつことを特徴とするヒンジユニットである。
【０００７】
また、請求項２に示す発明は、読取り原稿を載置するガラス板と、読取光学系を備える読取ユニットと、該読取ユニットを副走査方向に移動させる機構とを備える装置フレームと、前記ガラス板に置かれた原稿を押える原稿圧板と、ヒンジの回動中心を原稿圧板に回動可能に係合し、前記ヒンジのヒンジ足を被取付け部に対してスライド自在とし、ヒンジ足を前記被取付け部に対して、装置背面方向に付勢する弾性部材を持つヒンジユニットを持つ画像読取装置において、ヒンジ足を挿入する被取付け部内壁の最小サイズがヒンジ足先端の最大サイズよりも大きく、前記被取付け部内壁開口部近傍に開口部内側に突出する突起を備え、前記ヒンジ足端部にはヒンジ足が上方へスライドしたときに前記開口部内側の突起に当接する突起をもつことを特徴とする画像読取装置である。
【発明の効果】
【０００８】
本発明によれば、コストを上げることなく自重による原稿圧板の自由落下を十分に緩和させ原稿圧板と装置本体の衝突による破損を防止することができる。またヒンジ足のストロークを越える本等の厚手原稿押圧した場合でもヒンジ足が抜けることはなくユーザーに対して安全性を保持できる。さらに圧板を上方へ簡単に抜き取ることができるため圧板の投影面積を越える読取り原稿を読取ることができる画像読取装置を提供することができる。
【発明を実施するための最良の形態】
【０００９】
以下に、本発明による代表的な実施例を図１ないし図６を用いて説明する。
【００１０】
図１は、本発明のヒンジ部を使用した画像読取装置の概観斜視図である。図１に示すように、画像読取装置１には、写真フィルムの透過原稿を読取る場合に、透過原稿を照明するためのフィルムアダプタユニット（ＦＡＵ）３を搭載した原稿圧板２がヒンジ５によって回動自在に取り付けられている。ＦＡＵ３には、面状光源がユニット下カバー１３上にビス等で固定されている。画像読取装置１の本体上には読取り原稿を置くためのプラテンガラス１０（図２）が備え付けられ、写真フィルムを読取る場合には、遮光シート４がプラテンガラス１０上に載置される。遮光シート４に設けられたシェーディング窓４ａは、シェーディングを測定するための窓であり、透過原稿載置部４ｂは透過原稿を置く場所である。
【００１１】
図２は、図１で示した画像読取装置の矢視Ａから見た断面図である。図２において、画像読取装置１は、反射原稿を読取る場合、原稿をプラテンガラス１０に載置し、ＦＡＵ３を搭載した原稿圧板２に設けたヒンジ５の回動軸８を回動中心にしてプラテンガラス側へと原稿を押圧固定し、画像読取装置１内に備える読取りユニット１１を不図示の駆動系により副走査方向に一定速度で移動させながら順次イメージを読取る。
【００１２】
図３は、ヒンジ５周りの構成である。ヒンジ５の回動軸８にネジリコイルバネ９が係合されネジリコイルバネ９の一端は原稿圧板２に、他端はヒンジ５に係合している。またヒンジ５の足６の先端は一部が突出したフック形状７となっている。また、画像読取装置１上に構成されているヒンジ足受け部の開口部１５には前記フック形状７に対抗する位置に同様のフック形状１２がある。（図２）図２のように通常、原稿圧板２を閉じた状態では、ネジリコイルバネ９の付勢力によりヒンジ５のフック形状７は、常に画像読取装置１上に構成されているヒンジ足受け部１５の内壁に接し押圧している。
【００１３】
図４は、本などのような厚手の原稿１４を読取る場合のヒンジ５の状態を示している。この時、ヒンジ５は、プラテンガラス１０上に置かれた原稿１４の厚さによってプラテンガラス１０に対して垂直方向に上側にスライドし、原稿圧板２は図２と同様に厚い原稿１４を押圧する。原稿圧板２が閉じているためヒンジ足６はネジリコイルバネ９により常に矢印方向に付勢されている。従って原稿１４の厚みがヒンジ足６のスライドストローク以上の厚い原稿であったとしても、ヒンジ足６が上方にスライドした際、ヒンジ足先端部のフック７と装置本体部のヒンジ足６が挿入されるヒンジ足受け部１５内壁のフック１２が必ず当接するため、ヒンジ足６が抜けて跳ね上がることはない。
【００１４】
さらに図５に示す様に、圧板の投影面積を越える読取り原稿を読取る場合、ヒンジ先端部７の幅ａと装置本体部のヒンジ足が挿入される開口部１５のフック１２の位置の幅ｂが“ａ＞ｂ”の関係にあるので図のように圧板２を完全に開きネジリコイルバネ９の付勢力をなくすことでフックの当接部７と１５を解除することにより（図５（１））圧板２を上方へ簡単に抜き取ることができる（図５（２））。従って圧板の投影面積を越える読取り原稿を読取ることができる。
【図面の簡単な説明】
【００１５】
【図１】本発明のヒンジを使用する画像読取装置の図である。
【図２】図１の画像読取装置をＡからみた断面図である。
【図３】本発明のヒンジを示す拡大図である。
【図４】図１の画像読取装置で厚手の画像を読取る場合の断面図である。
【図５】図１の画像読取装置から、圧板を取り外す場合の断面図である。
【図６】従来の画像読取装置の圧板のヒンジの説明図である。
【符号の説明】
【００１６】
１  画像読取装置
２  原稿圧板
３  フィルムアダプタユニット（ＦＡＵ）
４  遮光シート
５  ヒンジ
６  ヒンジ足
７  ヒンジフック
８  回動軸
９  ネジリコイルバネ
１０  プラテンガラス
１１  読取りユニット
１２  本体開口部フック
１３  下カバー
１４  厚手の原稿
１５  ヒンジ足受け部
Ｐ  原稿
【図１】
2005338479.tif 000003
【図２】
2005338479.tif 000004
【図３】
2005338479.tif 000005
【図４】
2005338479.tif 000006
【図５】
2005338479.tif 000007
【図６】
2005338479.tif 000008